(57)【要約】【課題】同一の画情報を同じ送信先に繰り返し送信することを抑制する画情報送信装置を提供すること。【解決手段】ＦＡＸ装置１００は，まず，ＲＦＩＤタグ付き用紙がセットされたことを検知する。そして，ＲＦＩＤタグに記憶されているＦＡＸ番号を読み取る。次に，読み取ったＦＡＸ番号を基に，送信対象となるＦＡＸ番号を決定する。次に，送信先に決定されたＦＡＸ番号を，送信先番号キューに登録する。その後，送信先に決定されたＦＡＸ番号を，ＲＦＩＤタグから消去する。その後，原稿の画情報を読み取る。次に，送信先番号キューの先頭に登録されているＦＡＸ番号を抽出し，読み取った画情報をそのＦＡＸ番号で特定されるＦＡＸ装置に対して送信する。そして，ＦＡＸ送信が終了した際には，そのＦＡＸ番号を送信先番号キューからも削除する。【選択図】            図４
2010124117.tif 000002
【特許請求の範囲】
【請求項１】
原稿の画情報を読み取る読取部と，
用紙に添付された記憶媒体から送信先の識別情報を取得する取得部と，
前記読取部にて読み取った画情報を，取得部にて取得した識別情報で特定される送信先端末装置に送信する送信部と，
画情報送信処理の少なくとも一部が終了したことを契機に，その画情報送信処理の対象となった識別情報の使用を制限する制限部とを備えたことを特徴とする画情報送信装置。
【請求項２】
請求項１に記載する画情報送信装置において，
記憶媒体には送信先の識別情報が複数記憶されており，
前記制限部は，複数の識別情報の中から，画情報送信処理の対象となった識別情報のみ使用制限することを特徴とする画情報送信装置。
【請求項３】
請求項１または請求項２に記載する画情報送信装置において，
前記取得部にて取得した識別情報で特定される送信先を表示する表示部と，
表示された送信先の中から画情報送信処理の対象となる送信先を選択し，その送信先への画情報送信を指示する指示部とを備え，
前記制限部は，前記指示部による，使用が制限された識別情報で特定される送信先への画情報送信の指示を制限することを特徴とする画情報送信装置。
【請求項４】
請求項１から請求項３のいずれか１つに記載する画情報送信装置において，
前記制限部は，記憶媒体に記憶されている情報を書き換えることによって識別情報の使用を制限することを特徴とする画情報送信装置。
【請求項５】
請求項４に記載する画情報送信装置において，
前記制限部は，前記読取部による原稿の読み取りが完了するまでに，記憶媒体に記憶されている情報を書き換えることを特徴とする画情報送信装置。
【請求項６】
請求項４または請求項５に記載する画情報送信装置において，
送信不良が生じた送信先の識別情報と，その送信先の識別情報を記憶していた記憶媒体の識別情報とを対応付けて記憶する記憶部を備え，
前記制限部は，前記取得部にて取得対象となった記憶媒体の識別情報が前記記憶部に記憶されている場合に，その記憶媒体の識別情報に対応付けて記憶されている送信先の識別情報で特定される送信先については，使用を制限しないことを特徴とする画情報送信装置。
【請求項７】
請求項１から請求項６のいずれか１つに記載する画情報送信装置において，
前記制限部は，画情報送信処理の対象となった識別情報を消去することでその使用を制限することを特徴とする画情報送信装置。
【請求項８】
請求項１から請求項７のいずれか１つに記載する画情報送信装置において，
記憶媒体から取得する送信先の識別情報は，ＦＡＸ番号であり，
前記送信部は，ＦＡＸ番号で特定される送信先ＦＡＸ装置に画情報を送信することを特徴とする画情報送信装置。
【発明の詳細な説明】
【技術分野】
【０００１】
本発明は，ＲＦＩＤ（Radio Frequency IDentification）タグ等の記憶媒体にアクセス可能な画情報送信装置に関する。さらに詳細には，用紙に添付された記憶媒体（以下，便宜上「ＲＦＩＤタグ」と称する）から送信先情報を読み取り，その送信先情報を用いて画情報の送信処理を行う画情報送信装置に関するものである。
【背景技術】
【０００２】
従来から，送信先ＦＡＸ番号等の付加情報をＲＦＩＤタグに記憶し，そのＲＦＩＤタグを添付した用紙がある。画情報の送信処理を行う画情報送信装置としては，ＲＦＩＤタグ付き用紙の原稿の読み取りを行う際に，原稿の画情報とともにＲＦＩＤタグに記憶された送信先情報をも取得し，その送信先情報を利用して原稿の画情報をＦＡＸ送信するＦＡＸ装置が提案されている。例えば，特許文献１には，ＲＦＩＤタグにＦＡＸ番号が記憶されており，そのＦＡＸ番号を読み取って自動的にＦＡＸ送信するＦＡＸ装置が開示されている。特許文献１によれば，当該ＦＡＸ装置は，送信先情報の入力操作を不要とすることができるとしている。
【特許文献１】特開２００７−１７４２１２号公報
【発明の開示】
【発明が解決しようとする課題】
【０００３】
しかしながら，前記した特許文献１のようなＦＡＸ装置では，次のような問題があった。すなわち，従来のＦＡＸ装置では，送信済みの原稿に対して再度読み取り処理を行うと，既に送信済みのＦＡＸ装置に同じ内容の画情報を送信してしまう。このような画情報の重複送信は，ＦＡＸ装置に限らず，例えば，画情報をネットワークに接続された他の情報処理端末装置に送信する装置であっても起こりえる。
【０００４】
本発明は，前記した従来の画情報送信装置が有する問題点を解決するためになされたものである。すなわちその課題とするところは，同一の画情報を同じ送信先に繰り返し送信することを抑制する画情報送信装置を提供することにある。
【課題を解決するための手段】
【０００５】
この課題の解決を目的としてなされた画情報送信装置は，原稿の画情報を読み取る読取部と，用紙に添付された記憶媒体から送信先の識別情報を取得する取得部と，読取部にて読み取った画情報を，取得部にて取得した識別情報で特定される送信先端末装置に送信する送信部と，画情報送信処理の少なくとも一部が終了したことを契機に，その画情報送信処理の対象となった識別情報の使用を制限する制限部とを備えたことを特徴としている。
【０００６】
本発明の画情報送信装置は，画情報送信処理として，用紙に添付された記憶媒体（例えば，ＲＦＩＤタグ）から，送信先の識別情報（例えば，ＦＡＸ番号やＩＰアドレス）を取得し，その識別情報で特定される送信先端末装置に画情報を送信する。そして，その画情報送信処理の少なくとも一部が終了したことを契機に，送信対象となった識別情報の使用を制限する。画情報送信処理の一部が終了するタイミングとしては，画情報送信処理のうち，例えば，画情報の送信が指示された直後や，画情報の読み取りが終了した直後が該当する。また，識別情報の使用制限としては，送信済みの識別情報を記憶媒体から削除することや，送信済みである旨を意味する情報を記憶媒体，画情報送信装置本体あるいはその装置に接続するサーバに書き込むこと等が適用可能である。
【０００７】
すなわち，本発明の画情報送信装置では，画情報を送信したとみなされる送信先の識別情報を使用制限する。これにより，送信処理を行った原稿が再セットされたとしても，送信処理の対象となった識別情報は使用されず，その識別情報で特定される送信先端末装置への重複送信を回避できる。
【０００８】
また，本発明の画情報送信装置は，記憶媒体には送信先の識別情報が複数記憶されており，制限部は，複数の識別情報の中から，画情報送信処理の対象となった識別情報のみ使用制限するとよりよい。すなわち，すべての識別情報を制限しても一定の効果はあるが，画情報送信処理の対象となった識別情報のみを制限し，それ以外の識別情報については制限しないようにすることで，次回の画情報送信時に，画情報送信処理の対象とならなかった識別情報を利用することができる。
【０００９】
また，本発明の画情報送信装置は，取得部にて取得した識別情報で特定される送信先を表示する表示部と，表示された送信先の中から画情報送信処理の対象となる送信先を選択し，その送信先への画情報送信を指示する指示部とを備え，制限部は，指示部による，使用が制限された識別情報で特定される送信先への画情報送信の指示を制限するとよりよい。すなわち，識別情報の選択を制限することで，制限されている識別情報への送信指示を回避できる。なお，識別情報の選択を制限する手段としては，表示をしない，選択するとエラーメッセージが表示される，表示はされるがグレーアウトされており選択できない等が適用可能である。また，送信先の表示は，識別情報そのものを表示してもよいし，その識別情報に宛名が対応付けられている場合にはその宛名を表示してもよい。
【００１０】
また，本発明の画情報送信装置の制限部は，記憶媒体に記憶されている情報を書き換えることによって識別情報の使用を制限するとよりよい。すなわち，識別情報の使用を制限する手段としては，画情報送信装置本体に制限対象の識別情報を記憶することも可能であるが，他の画情報送信装置でその原稿を使用されると重複送信を回避できない。そこで，記憶媒体に制限処理を施すことが，重複送信を確実に回避する上でより好ましい。
【００１１】
また，上記の制限部は，読取部による原稿の読み取りが完了するまでに，記憶媒体に記憶されている情報を書き換えるとよりよい。すなわち，原稿の読み取りまでに制限処理を完了させることで，用紙を持ち去られて記憶媒体の書き換えが不可能になる状況を回避することが期待できる。
【００１２】
また，上記の画情報送信装置は，送信不良が生じた送信先の識別情報と，その送信先の識別情報を記憶していた記憶媒体の識別情報とを対応付けて記憶する記憶部を備え，制限部は，取得部にて取得対象となった記憶媒体の識別情報が記憶部に記憶されている場合に，その記憶媒体の識別情報に対応付けて記憶されている送信先の識別情報で特定される送信先については，使用を制限しないとよりよい。すなわち，記憶媒体が書き換えられた後に送信不良が生じると，その識別情報の送信先には画情報が送られないままとなる。そこで，記憶部に送信不良であったことを記憶しておくことで，次回の画情報送信処理時に送信不良となった送信先にも送信することができる。これにより，不適切な制限状態を回避できる。
【００１３】
また，本発明の画情報送信装置の制限部は，画情報送信処理の対象となった識別情報を消去することでその使用を制限するとよりよい。すなわち，送信済みである旨を意味する情報を記憶媒体に書き込む等の制限手段によって識別情報を記録媒体に残したままその使用を制限することも可能であるが，使用済みの情報を残したままにすると，原稿紛失の際に情報の漏洩を招くおそれがある。そこで，使用済みの情報を消去することで，情報の流出の可能性を低下させることができる。
【００１４】
また，本発明の画情報送信装置は，記憶媒体から取得する送信先の識別情報は，ＦＡＸ番号であり，送信部は，ＦＡＸ番号で特定される送信先ＦＡＸ装置に画情報を送信することを特徴とする画情報送信装置を含んでいる。
【発明の効果】
【００１５】
本発明によれば，同一の画情報を同じ送信先に繰り返し送信することを抑制する画情報送信装置が実現される。
【発明を実施するための最良の形態】
【００１６】
以下，本発明にかかる画情報送信装置を具体化した実施の形態について，添付図面を参照しつつ詳細に説明する。本形態は，原稿の画情報を読み取り，その画情報の送信処理を行うＦＡＸ装置に本発明を適用したものである。
【００１７】
［ＦＡＸ装置の構成］
本形態のＦＡＸ装置１００は，図１に示すように，用紙に画像を印刷する画像形成部１０と，原稿の画像を読み取る画像読取部２０（読取部の一例）とを備えている。なお，画像形成部１０の画像形成方式は，電子写真方式であっても，インクジェット方式であってもよい。また，カラー画像の形成が可能であっても，モノクロ画像専用であってもよい。
【００１８】
画像読取部２０には，前面側に，液晶ディスプレイからなる表示部４１，各種のボタン（例えば，スタートキー，ストップキー，テンキーの各ボタン）によって構成されるボタン群４２等を備えた操作パネル４０が設けられている。この表示部４１やボタン群４２により，動作状況の表示やユーザによる操作の入力が可能になっている。
【００１９】
［画像読取部の構成］
画像読取部２０は，図２に示すように，原稿（例えば図２中の用紙９０）の画像の読み取りを行うスキャナ部２１と，原稿の自動搬送を行うＡＤＦ（Auto Document Feeder：自動原稿供給装置）２２とを備えている。スキャナ部２１は，その上面に位置する透明なプラテンガラス２３，２４と，その内部に位置するイメージセンサ２５とを備えている。スキャナ部２１は，ＡＤＦ２２によって原稿が自動搬送される際には，プラテンガラス２３下に固定され，原稿の画像を読み取る。また，原稿がプラテンガラス２４上に載置される際には，副走査方向（図２の矢印Ａ方向）に移動して，原稿の画像を読み取る。
【００２０】
ＡＤＦ２２は，読み取り前の原稿を載置する原稿トレイ２２１と，読み取り後の原稿を載置する排出トレイ２２２とを備えている。ＡＤＦ２２は，原稿トレイ２２１に載置された原稿を１枚ずつ取り出し，その原稿を搬送路２２３を介してプラテンガラス２３に対向する位置に搬送する。そして，イメージセンサ２５が主走査方向に１ラインずつ原稿の画像を読み取る。その後，その原稿を排出トレイ２２２上に排出する。
【００２１】
また，ＡＤＦ２２は，原稿の搬入口の周辺に位置し，搬入口に存在する原稿を検知する原稿センサ２８と，ＡＤＦ２２を回動させる支持部（不図示）に隣接し，ＡＤＦ２２の開放状態を検出する開閉センサ２９とを備えている。画像読取部２０は，原稿センサ２８からの出力信号を基に，ＡＤＦ２２に原稿がセットされたことを検知する。
【００２２】
また，ＡＤＦ２２は，所定範囲内に存在するＲＦＩＤタグを検知し，そのＲＦＩＤタグに対してデータの読み出しおよび書き込みを行うことが可能なＲ／Ｗ装置５０（取得部の一例）を備えている。Ｒ／Ｗ装置５０は，ＲＦＩＤタグ付き用紙が原稿トレイ２２１上に載置された場合に，そのＲＦＩＤタグにアクセス可能な範囲に配置される。
【００２３】
［ＦＡＸ装置の電気的構成］
続いて，ＦＡＸ装置１００の電気的構成について説明する。ＦＡＸ装置１００は，図３に示すように，ＣＰＵ３１と，ＲＯＭ３２と，ＲＡＭ３３と，ＮＶＲＡＭ３４と，ＡＳＩＣ３５と，ネットワークインタフェース３６と，ＦＡＸインタフェース３７（送信部の一例）とを備えた制御部３０を有している。
【００２４】
ＣＰＵ３１は，ＦＡＸ装置１００における画像読取機能，画像形成機能等の各種機能を実現するための演算を実行し，制御の中枢となるものである。ＲＯＭ３２には，ＦＡＸ装置１００を制御するための各種制御プログラムや各種設定，初期値等が記憶されている。ＲＡＭ３３は，各種制御プログラムが読み出される作業領域として，あるいは画像データを一時的に記憶する記憶領域として利用される。ＮＶＲＡＭ（Non Volatile RAM）３４は，不揮発性を有する記憶手段であって，各種設定ないし画像データ等を保存する記憶領域として利用される。
【００２５】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＦＡＸ装置１００の各構成要素（例えば，画像形成部１０を構成する露光装置の点灯タイミング，用紙の搬送路を構成する各種ローラの駆動モータ（不図示），画像読取部２０を構成するイメージセンサユニットの移動用モータ（不図示））を，ＡＳＩＣ３５を介して制御する。
【００２６】
ネットワークインターフェース３６は，インターネット等のネットワークに接続され，ＰＣ等の情報処理装置との接続を可能にしている。ＦＡＸインターフェース３７は，電話回線に接続され，相手先のＦＡＸ装置との接続を可能にしている。そして，ネットワークインターフェース３６やＦＡＸインターフェース３７を介してジョブのやりとりを行うことができる。
【００２７】
［ＦＡＸ装置のＦＡＸ送信処理］
［第１の形態］
続いて，ＦＡＸ装置１００にて原稿の読み取りおよびＦＡＸ送信を行う際の，ＦＡＸ送信処理（読取部，取得部，送信部，制限部，表示部，指示部，画情報送信処理の一例）の手順について，図４のフローチャートを参照しつつ説明する。本処理は，画像読取部２０が原稿を検知する度に実行される。なお，以下の説明では，ＡＤＦ２２の原稿トレイ２２１上の原稿を検知した際の，ＦＡＸ送信処理について説明する。
【００２８】
まず，Ｒ／Ｗ装置５０にてＲＦＩＤタグ（記憶媒体の一例）にアクセスし，ＲＦＩＤタグに記憶されている情報を読み取る（Ｓ１０１）。本形態においては，ＲＦＩＤタグには，少なくとも送信先のＦＡＸ番号が記憶されている。本形態では，例えば図５に示すように，個々のＲＦＩＤタグを識別する識別番号（記憶媒体の識別情報の一例）と，送信先のＦＡＸ番号（送信先の識別情報の一例）とが１つのＲＦＩＤタグ９１に記憶されている。なお，送信先のＦＡＸ番号は，１つであってもよいし，図５に示したように複数であってもよい。また，ＦＡＸ番号に対して宛名が関連付けられていてもよい。
【００２９】
次に，読み取ったＦＡＸ番号を，例えば図６に示すように，表示部４１に一覧表示する（Ｓ１０２）。そして，ユーザに対して送信先の選択を促す。その後，ユーザによる送信先の選択が行われ，ユーザがボタン群４１中の決定ボタンを押下することで，選択されているＦＡＸ番号を画情報の送信先として決定する（Ｓ１０３）。
【００３０】
次に，送信先に決定されたＦＡＸ番号を，ＦＡＸ装置１００が有する送信先番号キューに登録する（Ｓ１０４）。すなわち，そのＦＡＸ番号をＮＶＲＡＭ３４に記憶する。その後，送信先に決定されたＦＡＸ番号を，ＲＦＩＤタグから消去する（Ｓ１０５）。その後，原稿の自動搬送を開始し，スキャナ部２１によって原稿の画情報を読み取る（Ｓ１０６）。
【００３１】
次に，送信先番号キューの先頭に登録されているＦＡＸ番号を抽出し，読み取った画情報をそのＦＡＸ番号の相手先ＦＡＸ装置に対して送信する（Ｓ１０７）。そして，そのＦＡＸ番号に対するＦＡＸ送信が終了した際には，そのＦＡＸ番号を送信先番号キューからも削除する（Ｓ１０８）。そして，残りの送信先があるか否か，すなわち送信先番号キューにＦＡＸ番号があるか否かを判断し（Ｓ１０９），送信先があれば（Ｓ１０９：ＹＥＳ），Ｓ１０７の処理に戻ってＦＡＸ送信を繰り返し，送信先がなければ（Ｓ１０９：ＮＯ），本処理を終了する。
【００３２】
すなわち，第１の形態のＦＡＸ送信処理では，ＦＡＸ送信することが決定したＦＡＸ番号についてはＲＦＩＤタグからその情報を削除している。そのため，同ＲＦＩＤタグを利用してＦＡＸ送信を行う際に，送信済みのＦＡＸ番号については取得されず，そのＦＡＸ番号は選択できない。これにより，同じ送信先に対して同じ内容の画情報を重複してＦＡＸ送信することを回避できる。
【００３３】
［第２の形態］
続いて，ＦＡＸ送信処理の第２の形態について説明する。第２の形態では，ＦＡＸ送信を失敗した場合に，その失敗したときのＦＡＸ番号を記憶する未送信管理データベース３４１（記憶部の一例）を備えている。そして，次回のＦＡＸ送信処理の際に，その未送信管理データベース３４１を参照し，そのＦＡＸ送信を失敗したＦＡＸ番号を再度選択可能にする。この点，ＦＡＸ送信を失敗した場合にそのＦＡＸ番号の情報が残らない第１の形態と異なる。
【００３４】
具体的に，ＦＡＸ装置１００は，図７に示すような未送信管理データベース３４１をＮＶＲＡＭ３４に有している。すなわち，未送信管理データベース３４１は，ＲＦＩＤタグの識別番号と送信に失敗したＦＡＸ番号とを関連付けて１つのレコードとして記憶する。なお，本形態では，ＦＡＸ番号１つに対して１つのレコードを割り当てているが，識別番号１つに対して１つのレコードを割り当て，１つのレコードで複数のＦＡＸ番号を記憶するように構成してもよい。
【００３５】
図８は，第２の形態における，ＲＦＩＤタグ９１および未送信管理データベース３４１の登録例を示している。まず，図８（Ａ）は，初期状態として，用紙９０のＲＦＩＤタグ９１に，ＦＡＸ番号として，番号１，２，３が記憶されている。そして，未送信管理データベース３４１には何も登録されていないものとする。
【００３６】
この状態で，送信先として番号１，２，３をすべて選択し，ＦＡＸ送信を指示したとする。そして，番号１，２へのＦＡＸ送信は正常終了したものの，番号３のＦＡＸ送信は正常終了しなかったとする。この場合，図８（Ｂ）に示すように，ＲＦＩＤタグ９１は番号１，２，３の情報が消去される。一方，未送信管理データベース３４１には，ＦＡＸ送信に失敗した番号３の情報が記憶される。この番号３は，ＲＦＩＤタグ９１の識別番号と関連付けて記憶される。
【００３７】
そして，再度，同じ用紙９０（つまり同じ識別番号のＲＦＩＤタグ９１）がセットされた場合に，送信先の選択の際に番号３の選択を可能にする。例えば，図８（Ｃ）に示すように，番号３と関連付けられた識別番号と同じ識別番号のＲＦＩＤタグ９１に新たなＦＡＸ番号として番号４，５が登録された状態で再セットされた場合には，送信先の選択の際に番号４，５に加えて番号３を選択可能にする。
【００３８】
以下，図８に示したような動作を実現するＦＡＸ送信処理について，図９のフローチャートを参照しつつ説明する。なお，本形態も第１の形態と同様に，ＡＤＦ２２の原稿トレイ２２１上の原稿を検知した際の処理であり，第１の形態と同様の処理については同じ符号を付している。
【００３９】
まず，ＲＦＩＤタグに記憶されている情報を読み取る（Ｓ１０１）。そして，読み取ったＲＦＩＤタグの情報と，未送信管理データベース３４１の情報とを照合し，ＲＦＩＤタグの識別番号が一致するレコードを抽出する（Ｓ２０１）。そして，レコードが抽出されたか否かを判断する（Ｓ２０２）。レコードがある場合には（Ｓ２０２：ＹＥＳ），そのレコードに記憶されているＦＡＸ番号を取得し，当該レコードを未送信管理データベース３４１から削除する（Ｓ２０３）。
【００４０】
次に，Ｓ１０１の処理で取得したＦＡＸ番号およびＳ２０３の処理で取得したＦＡＸ番号を，表示部４１に一覧表示する（Ｓ１０２）。そして，ユーザが送信先のＦＡＸ番号を選択した後，その選択されているＦＡＸ番号を画情報の送信先として決定する（Ｓ１０３）。
【００４１】
次に，送信先に決定されたＦＡＸ番号を送信先番号キューに登録し（Ｓ１０４），選択されたＦＡＸ番号をＲＦＩＤタグから消去する（Ｓ１０５）。その後，原稿の自動搬送を開始し，原稿の画情報を読み取る（Ｓ１０６）。
【００４２】
次に，送信先番号キューの先頭に登録されているＦＡＸ番号を抽出し，読み取った画情報をそのＦＡＸ番号の相手先ＦＡＸ装置に対して送信する（Ｓ１０７）。そして，そのＦＡＸ番号に対するＦＡＸ送信が正常終了したか否かを判断する（Ｓ２０４）。正常終了しなかった場合には（Ｓ２０４：ＮＯ），そのＦＡＸ番号をＲＦＩＤタグの識別番号とともに未送信管理データベース３４１に登録する（Ｓ２０５）。そして，通信が失敗したことを通知する（Ｓ２０６）。通知方法は，例えば，表示部４１へのメッセージ表示や画像形成部１０を利用してのメッセージ印刷がある。一方，正常終了した場合には（Ｓ２０４：ＹＥＳ），Ｓ２０５およびＳ２０６の処理をバイパスする。
【００４３】
その後，そのＦＡＸ番号を送信先番号キューから削除する（Ｓ１０８）。そして，残りの送信先があるか否かを判断し（Ｓ１０９），送信先があれば（Ｓ１０９：ＹＥＳ），Ｓ１０７の処理に戻ってＦＡＸ送信を繰り返し，送信先がなければ（Ｓ１０９：ＮＯ），本処理を終了する。
【００４４】
すなわち，第２の形態のＦＡＸ送信処理では，ＦＡＸ送信を失敗したＦＡＸ番号について未送信管理データベース３４１で記憶し，再度同じ用紙（すなわち同じＲＦＩＤタグ）がセットされた場合にその失敗したＦＡＸ番号の再選択を可能にしている。そのため，ＦＡＸ送信が完了していないにもかかわらずそのＦＡＸ番号が制限される不適切な状態を回避できる。また，再送信するＦＡＸ番号を入力する必要がなく，利便性が高い。
【００４５】
なお，第２の形態では，ＦＡＸ送信を失敗したＲＦＩＤタグが再セットされなければ，未送信のＦＡＸ番号の情報が残ったままになる。このことから，自動削除機能を設けてもよい。例えば，未送信管理データベース３４１に各レコードの登録日時を記録し，所定の期間が経過しても残っている場合にはそのレコードを削除するようにしてもよい。
【００４６】
以上詳細に説明したように実施の形態のＦＡＸ装置１００では，画情報をＦＡＸ送信したとみなされるＦＡＸ番号をＲＦＩＤタグから削除し，その使用を制限している。これにより，送信処理を行った原稿が再セットされたとしても，送信処理の対象となったＦＡＸ番号は表示されず，そのＦＡＸ番号で特定される送信先ＦＡＸ装置への重複送信を回避できる。
【００４７】
また，実施の形態のＦＡＸ装置１００では，ＦＡＸ送信の対象となったＦＡＸ番号をＲＦＩＤタグから消去している。すなわち，使用済みの情報を消去している。このことから，情報の流出の可能性を低下させることができる。
【００４８】
なお，本実施の形態は単なる例示にすぎず，本発明を何ら限定するものではない。したがって本発明は当然に，その要旨を逸脱しない範囲内で種々の改良，変形が可能である。例えば，ＦＡＸ専用装置に限らず，複合機等，画像読取機能および画像送信機能を備えるものであれば適用可能である。
【００４９】
また，実施の形態では，画像送信機能として，ＦＡＸ通信によって公衆回線を介して画情報を送信するＦＡＸ送信機能に本発明を適用しているが，これに限るものではない。例えば，ＲＦＩＤタグからＩＰアドレスやＥメールアドレス等を読み取り，その送信先へインターネット等のネットワークを介して画情報を送信する機能を有するスキャナ装置であっても適用可能である。
【００５０】
また，実施の形態では，ＦＡＸ送信処理中の，送信先決定後であって原稿読取前にＲＦＩＤタグ内の該当ＦＡＸ番号を消去しているが，消去のタイミングはこれに限るものではない。例えば，原稿読取後に消去してもよいし，通信終了後に消去してもよい。ただし，原稿読取前に消去することで，ＦＡＸ番号を消去する前に原稿を持ち去られてしまう状況を回避できる。
【００５１】
また，実施の形態では，正常送信されたＦＡＸ番号の利用を制限する手段として，ＲＦＩＤタグからそのＦＡＸ番号を削除しているが，制限手段はこれに限るものではない。例えば，ＲＦＩＤタグの情報として，制限中であるか否かを意味するフラグを各ＦＡＸ番号に関連付けて記憶し，正常にＦＡＸ送信されたＦＡＸ番号についてはそのフラグを書き換えるように構成してもよい。このように送信済みのＦＡＸ番号をＲＦＩＤタグに残しつつその使用を制限することで，送信済みＦＡＸ番号のグレーアウト表示等，送信済みであることを報知しつつ使用を制限することができる。
【００５２】
上記の構成の場合，例えば，実施の形態のＦＡＸ送信処理を次のように置き換えることで実現できる。すなわち，実施の形態のＳ１０５の処理にて，ＲＦＩＤタグへのフラグ書込処理を行う。これにより，送信先として選択されたＦＡＸ番号が制限状態になる。また，Ｓ１０２の処理にて，送信先の表示をそのフラグの状態によって制限する。例えば，制限状態のＦＡＸ番号をグレーアウト表示する。
【００５３】
また，この他の制限手段としては，例えば，ＦＡＸ送信したＦＡＸ番号をＲＦＩＤタグの識別番号とともにＦＡＸ装置１００に記憶し，相手先の選択の際に同じＲＦＩＤタグの同じＦＡＸ番号の選択をできなくするように構成してもよい。ただし，ＦＡＸ装置に送信情報を記憶する場合には，他のＦＡＸ装置を利用すると送信可能になってしまう。そのため，ＲＦＩＤタグに制限を設けるほうがより確実に重複送信を防ぐことができる。
【００５４】
また，実施の形態では，ＦＡＸ送信の前に必ずＲＦＩＤタグの情報を消去するように構成しているが，このような制限処理を行うか否かを選択可能にしてもよい。すなわち，ユーザや環境によっては，制限機能を実行しないほうが好ましいことも考えられる。そのため，制限機能を選択可能にすることがより好ましい。
【００５５】
さらに，制限機能の選択については，ユーザによる手動設定のほか，ＲＦＩＤタグに制限機能の有効無効を記憶するフラグを設け，そのフラグを読み出すことで自動的に制限機能の設定を切り換えるように構成してもよい。
【００５６】
また，実施の形態では，ＦＡＸ装置１００のＮＶＲＡＭ３４にて未送信管理データベース３４１を保有しているが，これに限るものではない。例えば，ＦＡＸ装置１００に接続されているサーバにて未送信管理データベース３４１を保有してもよい。
【図面の簡単な説明】
【００５７】
【図１】実施の形態にかかるＦＡＸ装置の外観を示す図である。
【図２】ＦＡＸ装置の画像読取部の構成を示す断面図である。
【図３】実施の形態にかかるＦＡＸ装置の電気的構成を示すブロック図である。
【図４】第１の形態におけるＦＡＸ送信処理の手順を示すフローチャートである。
【図５】ＲＦＩＤタグに記憶されている情報の一例を示す図である。
【図６】送信先選択時の表示部の表示例を示す図である。
【図７】未送信管理データベースに記憶されている情報の一例を示す図である。
【図８】第２の形態におけるＦＡＸ送信処理の概念を示す図である。
【図９】第２の形態におけるＦＡＸ送信処理の手順を示すフローチャートである。
【符号の説明】
【００５８】
１０    画像形成部
２０    画像読取部
３０    制御部
４１    表示部
５０    Ｒ／Ｗ装置
９０    用紙
９１    ＲＦＩＤタグ
１００  ＦＡＸ装置
３４１  未送信管理データベース
【図１】
2010124117.tif 000003
【図２】
2010124117.tif 000004
【図３】
2010124117.tif 000005
【図４】
2010124117.tif 000006
【図５】
2010124117.tif 000007
【図６】
2010124117.tif 000008
【図７】
2010124117.tif 000009
【図８】
2010124117.tif 000010
【図９】
2010124117.tif 000011